(57)【要約】【課題】本発明は覆工ブロックに予め貫設した孔に引き止め条材を貫挿し、その両端をネットに連結するのみで、ネットに対する覆工ブロックの引き止めが容易に図れ、又上記引き止め条材によって引き止め強度の信頼性を適切に確保できる覆工ブロックユニットを提供する。【解決手段】ネット１の表面に複数の覆工ブロック２を引き止めして成る覆工ブロックユニットにおいて、上記覆工ブロック２に貫通孔３を設け、該貫通孔３に引き止め条材４を貫挿し、該引き止め条材４の両端をネット１の経線材又は／及び緯線材５に連結し上記引き止めを図った覆工ブロックユニット。【選択図】        図２
2004169445.tif 000002
【特許請求の範囲】
【請求項１】
ネットの表面に複数の覆工ブロックを引き止めして成る覆工ブロックユニットにおいて、上記覆工ブロックに貫通孔を設け、該貫通孔に引き止め条材を貫挿し、該引き止め条材の両端をネットの経線材又は／及び緯線材に連結し上記引き止めを図ったことを特徴とする覆工ブロックユニット。
【請求項２】
ネットの表面に複数の覆工ブロックを引き止めして成る覆工ブロックユニットにおいて、上記覆工ブロックに貫通孔を設け、該貫通孔に引き止め条材を貫挿し、該引き止め条材の両端部分で形成した吊り輪にネットの経線材又は／及び緯線材を通し掛けし上記引き止めを図ったことを特徴とする覆工ブロックユニット。
【請求項３】
ネットの表面に複数の覆工ブロックを引き止めして成る覆工ブロックユニットにおいて、上記覆工ブロックに貫通孔を設け、該貫通孔に引き止め条材を貫挿し、該引き止め条材の両端に取り付けた引き止め具にネットの経線材又は／及び緯線材を通し掛けし上記引き止めを図ったことを特徴とする覆工ブロックユニット。
【請求項４】
ネットの表面に複数の覆工ブロックを引き止めして成る覆工ブロックユニットにおいて、上記覆工ブロックに貫通孔を設け、該貫通孔に引き止め条材を貫挿し、該引き止め条材の両端をネットの経線材又は／及び緯線材に結縛し上記引き止めを図ったことを特徴とする覆工ブロックユニット。
【請求項５】
ネットの表面に複数の覆工ブロックを引き止めして成る覆工ブロックユニットにおいて、上記覆工ブロックに貫通孔を設け、該貫通孔に引き止め条材を貫挿し、該引き止め条材の両端をネットの網目を通してネットに掛け回し、同引き止め条材の両端をネットの裏面において連結し上記引き止めを図ったことを特徴とする覆工ブロックユニット。
【請求項６】
上記覆工ブロックに複数の貫通孔が設けられていることを特徴とする請求項１又は２又は３又は４又は５記載の覆工ブロックユニット。
【発明の詳細な説明】
【０００１】
【発明の属する技術分野】
本発明は河岸や河川敷、川底や海底、或いは道路両側の法面や造成地の法面、平坦な地面等の施工面に敷設される覆工ブロックユニットに関する。
【０００２】
【従来の技術】
ネットの表面に複数の覆工ブロックを引き止めして成る覆工ブロックユニットが既知であり、この覆工ブロックユニットにおいては、特許文献１に代表されるように覆工ブロックの裏面に引き止め金具をアンカーボルト等を以って取り付け、該引き止め金具にネットの経線材又は／及び緯線材を通し掛けし覆工ブロックをネットに引き止めする構成を採っている。
【０００３】
而して上記仕様の覆工ブロックユニットは河岸や河川敷の覆工工事に多用されており、覆工ブロックユニットをクレーンで吊り上げて順次敷き詰める簡易な作業により広面積の覆工工事が短い工期で、且つローコストで施工できる利点を有する。
【０００４】
更にネットの可撓性によって各覆工ブロックを施工面の不陸に対し容易に馴染み施工できる利点を有する。
【０００５】
【特許文献１】
特許第３１７５８２８号公報
【０００６】
【発明が解決しようとする課題】
然るに上記覆工ブロックの裏面に引き止め金具をアンカーボルト等を以って取り付け、該引き止め具にネットの経線材又は／及び緯線材を通し掛けする方法では、アンカーボルト等による一点支持構造となり、高重量の覆工ブロックの引き止め強度において信頼性に欠ける問題点を有している。
【０００７】
又ネットに覆工ブロックを引き止めする作業が煩雑であり、覆工ブロックユニットのコストアップを招く。
【０００８】
【課題を解決するための手段】
本発明は上記問題点を適切に解決する覆工ブロックユニットの提供を目的とする。
【０００９】
本発明は上記ネットの表面に複数の覆工ブロックを引き止めして覆工ブロックユニットを形成する場合に、上記覆工ブロックに予め貫通孔を設けておき、該貫通孔に引き止め条材を貫挿し、該引き止め条材の両端をネットの経線材又は／及び緯線材に連結し上記ネットに対する上記引き止めを図る構造を採る。
【００１０】
具体例として、上記貫通孔に貫挿した引き止め条材の両端部分で吊り輪を形成し、該吊り輪にネットの経線材又は／及び緯線材を通し掛けし、上記ネットに対する上記覆工ブロックの引き止めを図る構造を採る。
【００１１】
又他の具体例として、上記貫通孔に貫挿した引き止め条材の両端に引き止め具を取り付け、該引き止め具にネットの経線材又は／及び緯線材を通し掛けし、上記ネットに対する上記覆工ブロックの引き止めを図る構造を採る。
【００１２】
又他の具体例として、上記貫通孔に貫挿した引き止め条材の両端をネットの経線材又は／及び緯線材に結縛し、上記ネットに対する上記覆工ブロックの引き止めを図る構造を採る。
【００１３】
又他の具体例として、上記貫通孔に貫挿した引き止め条材の両端をネットの網目を通してネットに掛け回し、同引き止め条材の両端をネットの裏面において連結し、上記ネットに対する上記覆工ブロックの引き止めを図る構成を採る。
【００１４】
上記覆工ブロックには単数の貫通孔を設けて上記引き止め条材を貫挿するか、又は互いに交差する複数の貫通孔を設けておき、一方の貫通孔に引き止め条材を貫挿するか、各貫通孔に引き止め条材を貫挿してネットに連結する。
【００１５】
本発明によれば覆工ブロックに貫設した孔に貫挿してその両端をネットに連結する引き止め条材によって、ネットに対する覆工ブロックの引き止め強度の信頼性を確保でき、取り付け作業も容易である。
【００１６】
【発明の実施の形態】
以下本発明の実施の形態を図１乃至図８に基づき説明する。
【００１７】
図１，図２に示すように、覆工ブロックユニットは金属製又は合成樹脂製のネット１の表面に複数の覆工ブロック２を引き止めして成る。この引き止め手段として、上記覆工ブロック２に予め貫通孔３を設けておき、該貫通孔３に引き止め条材４を貫挿し、該引き止め条材４の両端をネット１の経線材又は／及び緯線材５に連結し上記ネット１に対する上記覆工ブロック２の引き止めを図る。
【００１８】
具体例として図３に示すように、上記貫通孔３に貫挿し同貫通孔３の両端から外方へ延出した引き止め条材４の両端で吊り輪６を形成し、該吊り輪６にネット１の経線材又は／及び緯線材５を通し掛けし、上記ネット１に上記覆工ブロック２を引き止めする。該吊り輪６の遊離端は引き止め条材４に圧着スリーブ１０等を用いて結合する。
【００１９】
又他の具体例として図４に示すように、上記貫通孔３に貫挿した引き止め条材４の両端を貫通孔３の両端から外方へ延出し、該両端に引き止め具７を取り付け、該引き止め具７にネット１の経線材又は／及び緯線材５を通し掛けし、上記ネット１に対する上記覆工ブロック２の引き止めを図る。
【００２０】
上記引き止め具７は上記吊り輪６に相当する引き止め輪を形成し、且つ該引き止め輪内にネット１の経線材又は／及び緯線材を爾後的に挿入することができる構造を持つ。例えばＵ字形の引き通し具１１内に、ネット１の経線材又は／及び緯線材５を挿入した後、Ｕ字形開口端に圧入したピン又はＵ字形開口端に螺合した雄ねじ１２にて同開口部を閉鎖する構造のものを用いる。
【００２１】
又他の具体例として図５に示すように、上記貫通孔３に貫挿した引き止め条材４の両端を貫通孔３の両端から外方へ延出し、該両端をネット１の経線材又は／及び緯線材５に結縛８し、上記ネット１に対する上記覆工ブロック２の引き止めを図る。
【００２２】
又他の具体例として図６に示すように、上記貫通孔３に貫挿した引き止め条材４の両端をネット１の網目を通してネット１に掛け回し、同引き止め条材４の両端をネット１の裏面において連結し、上記ネット１に対する上記覆工ブロック２の引き止めを図る。９はこの連結部を示す。
【００２３】
上記連結を図る手段として圧着スリーブ１０等を用いる。即ち圧着スリーブ１０に引き止め条材４の両端を互いに逆方向から挿入し、該圧着スリーブ１０をかしめて上記連結を図る。
【００２４】
又他の具体例として図７に示すように、複数の覆工ブロック２の貫通孔３に一本の引き止め条材４を数珠状に貫挿し、該左右外端の覆工ブロック２の貫通孔３の外端開口部から延出した該引き止め条材４の両端を上記図３乃至図５に例示した連結手段を以ってネット１の経線材又は／及び緯線材５に連結すると共に、各覆工ブロック２間において各覆工ブロック２の貫通孔３から延出した引き止め条材４部分を下方へ向け（ネット１に向け）Ｕ字形に延出しつつ、ネット１の経線材又は／及び緯線材５に通し掛けし、よって一本の引き止め条材４にて複数の覆工ブロック２を引き止めする。
【００２５】
上記覆工ブロック２には単数の貫通孔３を設けて上記引き止め条材４を貫挿するか、又は図８に示すように、互いに交差する複数の貫通孔３を設けておき、一方の貫通孔３に引き止め条材４を貫挿するか、各貫通孔３に引き止め条材４を貫挿して上記ネット１への連結を図る。
【００２６】
例えば覆工ブロック２に互いに直交する二つの貫通孔３を設け、各貫通孔３に夫々貫挿した引き止め条材４の両端をネット１に連結し、二本の引き止め条材４による四点引き止め構造とする。
【００２７】
好ましい例示として上記覆工ブロック２をボール形に成形し、その直径線上に一条又は二条以上の貫通孔３を設ける。ボール形に成形することによって貫通孔３の方向性の制限が無く、直径線上に設けられておれば上下左右の制限が無くネット１に対する覆工ブロック２の引き止めが適切に図れる。しかもボール形覆工ブロック２の最も経路の長い直径線上において、そのほぼ半球をネット１に強固に引き止めすることができる。又ボール形によってその底部周域における空間形成が増大する。
【００２８】
上記ボール形覆工ブロック２はコンクリート成形したブロックであり、又は砕石を貧配合したセメントで結合した多気孔構造のブロックにする。多気孔構造で強度が低下しても上記直径線上に引き止め条材４を貫挿してネット１に引き止めする構造の採用によって、引き止め強度を適切に確保し得る。
【００２９】
又上記覆工ブロック２は底面形状（据付面形状）と上面形状（表装面形状）を有する、擬岩形状を付与したコンクリートブロックであり、この場合には上記貫通孔３を覆工ブロック２の底面側の一側面から他側面に貫通するように一条又は二条以上設ける。
【００３０】
上記引き止め条材４としてはワイヤーロープ、合成樹脂製ロープ、無垢のワイヤー又は無垢の合成樹脂製線材等を適用する。何れの場合も撓み性又は弾性変形性を有し、該撓み性又は弾性変形性を利用して上記ネット１への連結を図る。
【００３１】
【発明の効果】
本発明によれば覆工ブロックに予め貫設した孔に引き止め条材を貫挿し、その両端をネットに連結するのみで、ネットに対する覆工ブロックの引き止めが容易に図れ、又上記引き止め条材によって引き止め強度の信頼性を適切に確保できる。
【図面の簡単な説明】
【図１】覆工ブロックユニットの平面図。
【図２】覆工ブロックユニットの断面図。
【図３】上記覆工ブロックユニットにおけるネットに対する覆工ブロックの引き止め構造例を示す断面図。
【図４】上記覆工ブロックユニットにおけるネットに対する覆工ブロックの他の引き止め構造例を示す断面図。
【図５】上記覆工ブロックユニットにおけるネットに対する覆工ブロックの他の引き止め構造例を示す断面図。
【図６】上記覆工ブロックユニットにおけるネットに対する覆工ブロックの他の引き止め構造例を示す断面図。
【図７】上記覆工ブロックユニットにおけるネットに対する覆工ブロックの他の引き止め構造例を示す断面図。
【図８】上記覆工ブロックユニットにおけるネットに対する覆工ブロックの他の引き止め構造例を示す斜視図。
【符号の説明】
１…ネット、２…覆工ブロック、３…貫通孔、４…引き止め条材、５…経線材と緯線材、６…吊り輪、７…引き止め具、８…結縛、９…連結部、１０…圧着スリーブ、１１…引き通し具、１２…ピン又は雄ねじ
【図１】
2004169445.tif 000003
【図２】
2004169445.tif 000004
【図３】
2004169445.tif 000005
【図４】
2004169445.tif 000006
【図５】
2004169445.tif 000007
【図６】
2004169445.tif 000008
【図７】
2004169445.tif 000009
【図８】
2004169445.tif 000010